(57)【要約】【課題】液体のリッチ現象を回避するとともに、液体吐出装置の構成の簡略化、及び小型化を図る。【解決手段】液体吐出装置１は、導電性接着剤３を吐出するものであり、吐出対象の導電性接着剤３には、少なくとも金属フィラーが含まれている。また、液体吐出装置１には導電性接着剤３を収納するシリンジ４が設けられ、このシリンジ４に収納している導電性接着剤３を攪拌する攪拌部材６が設けられている。また、攪拌部材６は、導電性接着剤３と非接触状態で電磁誘導により金属フィラーを移動させて導電性接着剤３を攪拌する。【選択図】図１
2008161776.tif 000002
【特許請求の範囲】
【請求項１】
液体を吐出する液体吐出装置内に収納している液体を攪拌する攪拌部材であって、
吐出対象の液体には少なくとも導電性材料が含まれ、液体と非接触状態で電磁誘導により導電性材料を移動させて液体を攪拌することを特徴とする攪拌部材。
【請求項２】
液体を吐出する液体吐出装置において、
吐出対象の液体には、少なくとも導電性材料が含まれ、
当該液体吐出装置内に収納している液体を攪拌する攪拌部材が設けられ、
前記攪拌部材は、液体と非接触状態で電磁誘導により導電性材料を移動させて液体を攪拌することを特徴とする液体吐出装置。
【請求項３】
前記攪拌部材は、液体の導電性材料のうち非磁性体材料を移動させて液体を攪拌することを特徴とする請求項２に記載の液体吐出装置。
【請求項４】
液体を収納するシリンジが設けられ、前記攪拌部材が前記シリンジの外側部に設けられたことを特徴とする請求項２または３に記載の液体吐出装置。
【請求項５】
前記攪拌部材は、前記シリンジの外側部の複数箇所に設けられたことを特徴とする請求項４に記載の液体吐出装置。
【請求項６】
前記攪拌部材は、前記シリンジの液体吐出部位の近傍に設けられたことを特徴とする請求項４に記載の液体吐出装置。
【請求項７】
前記攪拌部材は、前記シリンジの外側部に沿って巻回された形状からなるコイルであることを特徴とする請求項４乃至６のうちいずれか１つに記載の液体吐出装置。
【請求項８】
前記コイルに流れる電流を可変させて電磁誘導を発生させて、前記導電性材料を移動させることを特徴とする請求項７に記載の液体吐出装置。
【請求項９】
前記コイルには、当該コイルの接続極性を変更するように電流をかけることを特徴とする請求項７または８に記載の液体吐出装置。
【請求項１０】
温度調整された冷却水を供給する冷却水供給部と、当該冷却水を前記シリンジに導くとともに前記シリンジの外周に接触した冷却水路と、が設けられ、前記冷却水路に温度調整された冷却水を供給することにより前記シリンジを冷却することを特徴とする請求項７乃至９のうちいずれか１つに記載の液体吐出装置。
【請求項１１】
前記コイルまたは、前記コイルを収納したコイル収納部材に冷却素子を取り付け、前記コイルを冷却することを特徴とすることを特徴とする請求項７乃至９のうちいずれか１つに記載の液体吐出装置。
【請求項１２】
前記シリンジおよび前記攪拌部材の少なくとも１つが、前記攪拌部材および前記シリンジに接離するように移動して、前記導電性材料を移動させることを特徴とする請求項４乃至１１のうちいずれか１つに記載の液体吐出装置。
【請求項１３】
前記攪拌部材は、シリンジの外側部に配され、同極が対向した複数の永久磁石であるとともに、前記攪拌部材と前記シリンジを相対的に移動させることを特徴とする請求項４乃至６のうちいずれか１つに記載の液体吐出装置。
【発明の詳細な説明】
【技術分野】
【０００１】
本発明は、撹拌部材および液体吐出装置に関する。
【背景技術】
【０００２】
現在、液体を吐出する液体吐出装置として、例えば、圧電振動片をベースに搭載するために導電性接着剤をベース上に吐出する装置が挙げられる（例えば、特許文献１参照）。
【０００３】
この特許文献１に記載の液体吐出装置では、液体を収納するシリンジを設けるとともに、このシリンジ内に駆動手段によって回転される攪拌手段を配設し、シリンジの先端に取付けたニードルのシリンジ内の端部分を攪拌手段に衝接可能とする。
【特許文献１】特開平６−１２６２２７号公報
【発明の開示】
【発明が解決しようとする課題】
【０００４】
上記した特許文献１に記載の液体吐出装置では、シリンジ内に攪拌手段を配設しているので、シリンジ内の液体の流動性を高めることによってフィラーの分離や沈降を抑制して液体のリッチ現象を回避している。
【０００５】
しかしながら、上記した特許文献１に記載の液体吐出装置では、シリンジ内に攪拌手段を設けるスペースを確保する必要があり、その結果、液体吐出装置の構成の簡略化、及び小型化を図ることが難しい。また、シリンジ内に攪拌手段を設けるためにシリンジ内に収納できる容量が少なくなる。
【０００６】
そこで、上記課題を解決するために、本発明は、液体のリッチ現象を回避するとともに、液体吐出装置の構成の簡略化、及び小型化を図る攪拌部材および液体吐出装置を提供することを目的とする。
【課題を解決するための手段】
【０００７】
上記の目的を達成するため、本発明にかかる攪拌部材は、液体を吐出する液体吐出装置内に収納している液体を攪拌する攪拌部材であって、吐出対象の液体には少なくとも導電性材料が含まれ、液体と非接触状態で電磁誘導により導電性材料を移動させて液体を攪拌することを特徴とする。
【０００８】
本発明によれば、液体には少なくとも導電性材料が含まれ、液体と非接触状態で電磁誘導により導電性材料を移動させて液体を攪拌するので、液体吐出装置内の液体を収納している空間に液体を攪拌させるための部材（特許文献１でいう攪拌手段）を設ける必要はなく、液体吐出装置の構成の簡略化を図ることが可能となり、その結果、液体吐出装置の小型化を図ることが可能となる。
【０００９】
また、前記攪拌部材による液体の攪拌対象を導電性材料としているので、導電性材料を移動させることで液体の粘度を一定の粘度に保ち、液体の粘度変化を抑制することが可能となる。その結果、液体吐出における目詰まりを無くすことが可能となる。また、本発明によれば、液体のリッチ現象（例えば、樹脂リッチ現象やフィラーリッチ現象）を回避することが可能となる。具体的に、本発明は導電性材料が含まれる液体に限定し、液体の材料の性質を利用しているので、上記した従来技術のような液体の性質に関係なく液体を攪拌するものとは全く異なるものであり、異なる観点からリッチ現象を回避するものである。また、このリッチ現象は液体吐出装置内での液体の収納時間が長くなることで生じやすくなるが、本発明によれば液体の収納時間が長くなっても各材料の分量を一定した液体を吐出することが可能となる。
【００１０】
また、液体吐出装置内の液体を収納している空間に液体を攪拌させるための部材（特許文献１でいう攪拌手段）を設けた場合、この攪拌するための部材の存在が導電性材料を含む液体の攪拌の妨げとなる可能性があるが、本発明によれば、液体と前記攪拌部材とが非接触状態となるので液体の攪拌の妨げにならない。また、液体吐出装置内の液体を収納している空間に液体を攪拌させるための部材を設ける場合と比較して、液体を収納できるスペース（容量）をより多く確保することが可能となる。
【００１１】
また、上記の目的を達成するため、本発明にかかる液体吐出装置は、液体を吐出する液体吐出装置において、吐出対象の液体には、少なくとも導電性材料が含まれ、当該液体吐出装置内に収納している液体を攪拌する攪拌部材が設けられ、前記攪拌部材は、液体と非接触状態で電磁誘導により導電性材料を移動させて液体を攪拌することを特徴とする。
【００１２】
本発明によれば、液体には少なくとも導電性材料が含まれ、前記攪拌部材は、液体と非接触状態で電磁誘導により導電性材料を移動させて液体を攪拌するので、当該液体吐出装置内の液体を収納している空間に液体を攪拌させるための部材（特許文献１でいう攪拌手段）を設ける必要はなく、当該液体吐出装置の構成の簡略化を図ることが可能となり、その結果、当該液体吐出装置の小型化を図ることが可能となる。
【００１３】
また、攪拌部材による液体の攪拌対象を導電性材料としているので、導電性材料を移動させることで液体の粘度を一定の粘度に保ち、液体の粘度変化を抑制することが可能となる。その結果、液体吐出における目詰まりを無くすことが可能となる。また、本発明によれば、液体のリッチ現象（例えば、樹脂リッチ現象やフィラーリッチ現象）を回避することが可能となる。具体的に、本発明は導電性材料が含まれる液体に限定し、液体の材料の性質を利用しているので、上記した従来技術のような液体の性質に関係なく液体を攪拌するものとは全く異なるものであり、異なる観点からリッチ現象を回避するものである。また、このリッチ現象は当該液体吐出装置内での液体の収納時間が長くなることで生じやすくなるが、本発明によれば液体の収納時間が長くなっても各材料の分量を一定した液体を吐出することが可能となる。
【００１４】
また、当該液体吐出装置内の液体を収納している空間に液体を攪拌させるための部材（特許文献１でいう攪拌手段）を設けた場合、この攪拌するための部材の存在が導電性材料を含む液体の攪拌の妨げとなる可能性があるが、本発明によれば、液体と前記攪拌部材とが非接触状態となるので液体の攪拌の妨げにならない。また、当該液体吐出装置内の液体を収納している空間に液体を攪拌させるための部材を設ける場合と比較して、液体を収納できるスペース（容量）をより多く確保することが可能となる。
【００１５】
前記構成において、前記攪拌部材は、液体の導電性材料のうち非磁性体材料を移動させて液体を攪拌してもよい。
【００１６】
この場合、電磁誘導により非磁性体材料を移動させて液体を攪拌するので、液体内全体に非磁性体材料が移動して液体の攪拌に好ましい。この作用は磁性体材料のみで導電性材料が構成される場合と比べて顕著になる。
【００１７】
前記構成において、液体を収納するシリンジが設けられ、前記攪拌部材が前記シリンジの外側部に設けられてもよい。
【００１８】
この場合、前記シリンジが設けられ、前記攪拌部材が前記シリンジの外側部に設けられるので、前記シリンジの筐体サイズに限定されることなく、安定して各材料の分量を一定した液体を吐出することが可能となる。例えば、当該液体吐出装置内の液体を収納している空間に液体を攪拌させるための部材を設けるスペースが無い場合であっても液体のリッチ現象を回避することが可能となる。
【００１９】
前記構成において、前記攪拌部材は、前記シリンジの外側部の複数箇所に設けられてもよい。
【００２０】
この場合、前記攪拌部材は前記シリンジの外側部の複数箇所に設けられるので、より安定して各材料の分量を一定した液体を吐出することが可能となる。
【００２１】
前記構成において、前記攪拌部材は、前記シリンジの液体吐出部位の近傍に設けられてもよい。
【００２２】
この場合、前記攪拌部材は前記シリンジの液体吐出部位の近傍に設けられるので、特に前記シリンジのリッチ現象を回避したい前記液体吐出部位において各材料の分量を一定した液体を吐出することが可能となる。
【００２３】
前記構成において、前記攪拌部材は、前記シリンジの外側部に沿って巻回された形状からなるコイルであってもよい。
【００２４】
この場合、前記シリンジの外側部の任意の位置に簡易な構成で前記攪拌部材を設けることが可能となる。
【００２５】
前記構成において、前記コイルに流れる電流を可変させて電磁誘導を発生させて、前記導電性材料を移動させてもよい。
【００２６】
この場合、前記コイルに流れる電流を可変させて電磁誘導を発生させて、前記導電性材料を移動させるので、前記コイルに流れる極性（電流方向）を可変もしくは、電流のレベルを可変させることにより前記攪拌部材内に発生する磁場（電磁力）を変化させ、この磁場変化により電磁誘導を発生させて前記導電性材料を移動させ、液体を攪拌させることが可能となり、前記攪拌部材は液体と非接触状態で前記導電性材料を攪拌させることが可能となる。
【００２７】
前記構成において、前記コイルには、当該コイルの接続極性を変更するように電流をかけてもよい。
【００２８】
この場合、前記コイルには、当該コイルの接続極性を変更するように電流をかけるので、前記コイルへかける極性（電流方向）を変えることで前記シリンダ内に発生する磁場（電磁力）を変化させることが可能となり、その結果、磁場（電磁力）の方向や強さを可変させて液体の導電性材料と他の材料との分離や、導電性材料と他の材料といずれかの材料の沈降を抑えてリッチ現象を回避することが可能となる。
【００２９】
前記構成において、温度調整された冷却水を供給する冷却水供給部と、当該冷却水を前記シリンジに導くとともに前記シリンジの外周に接触した冷却水路と、が設けられ、前記冷却水路に温度調整された冷却水を供給することにより前記シリンジを冷却してもよい。
【００３０】
この場合、前記冷却水供給部と前記冷却水路とが設けられ、前記冷却水路に温度調整された冷却水を供給することにより前記シリンジを冷却するので、前記コイルの熱が前記シリンジに伝わるのを抑制することが可能となる。その結果、前記シリンジに収納した液体の発熱を抑えることが可能となり、液体の品質を一定に保って液体吐出を行うことが可能となる。ここでいう液体の発熱とは、液体中の導電性材料の攪拌によって生じる内的な発熱と、コイルの発熱によって生じる外的な発熱とがあり、本構成によれば、これら内的な発熱と外的な発熱に対応することが可能となる。
【００３１】
前記構成において、前記コイルまたは、前記コイルを収納したコイル収納部材に冷却素子を取り付け、前記コイルを冷却してもよい。
【００３２】
この場合、前記コイルまたは前記コイル収納部材に冷却素子を取り付け、前記コイルを冷却するので、前記コイルの発熱を抑えて前記コイルの熱が前記シリンジに伝わるのを抑制することが可能となる。その結果、前記シリンジに収納した液体の発熱を抑えることが可能となり、液体の品質を一定に保って液体吐出を行うことが可能となる。ここでいう液体の発熱とは、液体中の導電性材料の攪拌による生じる内的な発熱と、コイルの発熱によって生じる外的な発熱とがあり、本構成によれば、これら内的な発熱と外的な発熱に対応することが可能となる。
【００３３】
前記構成において、前記シリンジおよび前記攪拌部材の少なくとも１つが、前記攪拌部材および前記シリンジに接離するように移動して、前記導電性材料を移動させてもよい。
【００３４】
この場合、前記シリンジおよび前記攪拌部材の少なくとも１つが、前記攪拌部材および前記シリンジに接離するように移動して、前記導電性材料を攪拌させるので、前記シリンジおよび前記攪拌部材の少なくとも１つの物理的な移動により前記攪拌部材内に発生する磁場（電磁力）を変化させ、この磁場変化により電磁誘導を発生させて導電性材料を移動させて液体を攪拌させることが可能となり、前記攪拌部材は液体と非接触状態で液体を攪拌させることが可能となる。
【００３５】
構成において、前記攪拌部材は、前記シリンジの外側部に配され、同極が対向した複数の永久磁石であるとともに、前記攪拌部材と前記シリンジを相対的に移動させてもよい。
【００３６】
この場合、前記攪拌部材は前記永久磁石であるとともに、前記攪拌部材と前記シリンジを相対的に移動させているので、電磁力を発生させたときに熱を発しない。そのため、液体の温度上昇を考慮しなくてもよい。
【発明の効果】
【００３７】
本発明にかかる攪拌部材および液体吐出装置によれば、液体のリッチ現象を回避するとともに、液体吐出装置の構成の簡略化、及び小型化を図ることが可能となる。
【発明を実施するための最良の形態】
【００３８】
以下、本発明の実施の形態について図面を参照して説明する。なお、以下に示す各実施例では、液体として導電性材料を含む導電性接着剤に本発明を適用した場合を示す。
【００３９】
本実施例にかかる液体吐出装置１（図１参照）は、圧電材料からなる圧電振動片（例えば、水晶振動片）をベース２（図１参照）に搭載するための導電性接着剤３をベース２上に吐出するものであり、圧電振動片を搭載する圧電振動子の製造工程で用いられる。
【００４０】
具体的に、圧電振動片を搭載する圧電振動子の製造工程では、接着トレイよりベース２をインデックステーブルに供給する。ベース２をインデックステーブルに供給すると、インデックステーブルを回転させ、圧電振動片をベースに搭載する各製造工程を行う。
【００４１】
ここでいう各製造工程とは、例えば、圧電振動子を製造しながら搬送するためのインデックステーブルに供給したベース２の位置決めを行い、ベース２の画像認識を行うベース工程と、ベース工程後にベース２の所定位置に導電性接着剤３を液体吐出装置１により吐出する吐出工程と、吐出工程後にベース２上に圧電振動片を配し、導電性接着剤３により機械的に接合するとともに電気的に接続する搭載工程と、を有し、搭載工程後にインデックステーブルに供給した圧電振動片を搭載したベース２を次の製造工程に移す。なお、これら各製造工程以外に他の工程を有してもよいということはいうまでもない。例えば、吐出工程と搭載工程の間にインデックス上のベース２の位置確認を行なったり、搭載工程後にベース上の圧電振動片の搭載位置を確認したりしてもよい。
【００４２】
次に、本実施例にかかる液体吐出装置１について、図面を用いて説明する。なお、本実施例で用いる液体は、導電性材料である非磁性体材料の金属フィラー（例えば、銀など）と有機溶剤とが含まれた導電性接着剤を用いる。
【実施例１】
【００４３】
液体吐出装置１は、図１〜３に示すように、上記した吐出工程において導電性接着剤３をベース２の所定位置に吐出するものである。
【００４４】
この液体吐出装置１には、導電性接着剤３を収納するシリンジ４と、シリンジ４に収納している導電性接着剤３を吐出するニードル５と、シリンジ４に収納している導電性接着剤３を攪拌する攪拌部材６と、シリンジ４をベース２に接離する方向に移動させる可動部７とが設けられている。
【００４５】
シリンジ４は、筒状体からなり、その一端部４１から導電性接着剤３を注入し、他端部４２から導電性接着剤３を吐出する。また、シリンジ４の他端部４２の開口は一端部４１の開口に対して狭く形成されている。
【００４６】
また、シリンジ４の他端部４２である液体吐出部位には、ニードル５が着脱可能に設けられる。また、シリンジ４の一端部において、シリンジ４が可動部７に着脱可能に保持される。
【００４７】
攪拌部材６は、導電性接着剤３と非接触状態で電磁誘導により金属フィラーを移動させて、この金属フィラーの移動により導電性接着剤３を攪拌させるものである。この攪拌部材６は、シリンジ４の外側部４３の外方にシリンジ４の筒方向と同一方向に沿って巻回された形状からなる中空形状のコイル６１であり、このコイル６１は、固定されている。なお、このコイル６１には、一定の直流電流が流れている。そして、この中空形状のコイル６１を挿脱する方向にシリンジ４を移動させることで、コイル６１による磁場（電磁力）が変化して電磁誘導が発生し、シリンジ４内に揺動電流（渦電流）が流れる。この渦電流と磁力の関係により力が発生して金属フィラーが導電性接着剤３内を移動して、その結果、導電性接着剤３を攪拌する。
【００４８】
可動部７は、シリンジ４の一端部４１近傍を保持し、保持したシリンジ４をベース２に接離する方向（図１に示す上下方向）に移動させる。
【００４９】
上記した構成からなる液体吐出装置１では、図１に示すように、導電性接着剤３をベース２上に吐出する際、可動部７に保持されたシリンジ４がベース２に接離する方向に移動する。この際、中空形状のコイル６１内を挿脱する（図１，３に示す上下方向）。そして、この可動部７によるシリンジ４の移動により、シリンジ４はコイル６１に対して接離方向（上下方向）に移動する（接離する）。この移動によりコイル６１による磁場（電磁力）が変化して電磁誘導が発生し、シリンジ４内に揺動電流（渦電流）が発生する。そして、この磁場（電磁力）の変化によって導電性接着剤３に渦電流が流れて金属フィラーがこの電流と磁力の関係により力が発生する。この力により金属フィラーが導電性接着剤３内を移動して、金属フィラーは導電性接着剤３内を攪拌する。
【００５０】
上記したように、本実施例１によれば、導電性接着剤３には少なくとも金属フィラーが含まれ、コイル６１により導電性接着剤３と非接触状態で電磁誘導により金属フィラーを移動させて液体を攪拌するので、液体吐出装置１内の導電性接着剤３を収納している空間に導電性接着剤３を攪拌させるための部材（特許文献１でいう攪拌手段）を設ける必要はなく、液体吐出装置１の構成の簡略化を図ることができる。その結果、液体吐出装置１の小型化を図ることができる。
【００５１】
また、コイル６１による導電性接着剤３の攪拌対象を金属フィラーとしているので、金属フィラーを移動させることで導電性接着剤３の粘度を一定の粘度に保ち、導電性接着剤３の粘度変化を抑制することができる。その結果、液体吐出における目詰まりを無くすことができる。また、本実施例１によれば、導電性接着剤３のフィラーリッチ現象を回避することが可能となる。具体的に、本実施例１は金属フィラーを含んだ導電性接着剤３に限定し、導電性接着剤３の材料の性質を利用しているので、上記した従来技術のような液体の性質（材料に何を用いているかなど）に関係なく液体を攪拌するものとは全く異なるものであり、異なる観点からリッチ現象を回避するものである。また、このリッチ現象は液体吐出装置１内での導電性接着剤３の収納時間が長くなることで生じやすくなるが、本実施例１によれば導電性接着剤３の収納時間が長くなっても各材料の分量を一定した液体を吐出することができる。
【００５２】
また、液体吐出装置１内の導電性接着剤３を収納している空間（シリンジ４内部）に導電性接着剤３を攪拌させるための部材を設けた場合（特許文献１参照）、この攪拌するための部材の存在が導電性接着剤３の攪拌の妨げとなる可能性がある（液体内の対流の妨げとなる箇所の形成など）。しかしながら、本実施例１によれば、導電性接着剤３とコイル６１とが非接触状態となるので導電性接着剤３の攪拌の妨げにならない。また、液体吐出装置１内の導電性接着剤３を収納している空間に導電性接着剤３を攪拌させるための部材を設ける場合と比較して、導電性接着剤３を収納できるスペース（容量）をより多く確保することができる。
【００５３】
また、電磁誘導により非磁性体材料である金属フィラーを移動させて液体を攪拌するので、導電性接着剤３内全体に金属フィラーが移動して導電性接着剤３の攪拌に好ましい。
【００５４】
また、コイル６１がシリンジ４の外側部４３に設けられるので、シリンジ４の筐体サイズに限定されることなく、安定して各材料の分量を一定した導電性接着剤３を吐出することができる。例えば、本実施例１によれば、液体吐出装置１内の導電性接着剤３を収納している空間（シリンジ４内部）に導電性接着剤３を攪拌させるための部材を設けるスペースが無い場合であっても導電性接着剤３のリッチ現象を回避することができる。
【００５５】
また、攪拌部材６はシリンジ４の外側部４３に沿って巻回された形状からなるコイル６１であるので、シリンジ４の外側部４３の任意の位置に簡易な構成でコイル６１を設けることができる。
【００５６】
また、可動部７によりシリンジ４が上下方向に移動し、この移動によりシリンジ４はコイル６１に対して接離するので、シリンジ４の物理的な移動によりコイル６１内に発生する磁場（電磁力）を変化させ、この磁場変化により応じて金属フィラーを移動させて導電性接着剤３をより攪拌させることができ、コイル６１は導電性接着剤３と非接触状態で導電性接着剤３を攪拌させることができる。
【００５７】
また、本実施例１では、コイル６１がシリンジ４の液体吐出部位（他端部４２）の近傍に設けられているので、特にシリンジ４のリッチ現象を回避したい液体吐出部位（他端部４２）において各材料の分量を一定にした液体を吐出することができる。
【００５８】
なお、本実施例１では、シリンジ４に収納する液体は、金属フィラーが含まれた導電性接着剤３を用いているが、これに限定されるものではなく、導電フィラーが含まれた導電性接着剤であればよい。なお、導電フィラーは、片状（フレーク状）であってもよく、粒状であってもよい。
【００５９】
また、本実施例１では、可動部７によりシリンジ４を上下方向に移動させ、コイル６１に対して接離しているが、これに限定されるものではなく、コイル６１をシリンジ４に対して接離方向に移動してもよく、またはコイル６１及びシリンジ４の両方ともが可動して、コイル６１とシリンジ４とが接離してもよい。
【００６０】
また、本実施例１では、攪拌部材に１つのコイル６１を用いているが、これに限定されるものではなく、コイル６１はシリンジ４の外側部４３の複数箇所に分割して設けられてもよい。この場合、より安定して各材料の分量を一定した液体を吐出することができる。
【００６１】
また、本実施例１では、可動部７によりシリンジ４が上下方向に移動し、この移動によりシリンジ４はコイル６１に対して接離する構成としているが、これに限定されるものではなく、シリンジ４とコイル６１とが接離する方向に移動すればよい。そのため、可動部７による可動対象をコイル６１にし、シリンジ４を固定した状態でコイル６１をシリンジ４に接離する方向に移動させてもよい。または、シリンジ用の可動部と、攪拌部材用の可動部とを設けて、シリンジ４とコイル６１との両方をそれぞれ接離する方向に移動させてもよい。
【００６２】
また、本実施例１では、攪拌部材６であるコイル６１に、一定の直流電流を流しているが、これに限定されるものではなく、コイル６１に流れる電流を可変させて電磁誘導を発生させ、この電流可変により導電性接着剤３を移動させてもよい。この場合、コイル６１に流れる極性（電流方向）を可変もしくは、電流のレベルを可変させることにより攪拌部材内に発生する磁場（電磁力）を変化させ、この磁場変化により電磁誘導を発生させて金属フィラーを移動させて導電性接着剤３を攪拌させることができ、コイル６１は導電性接着剤３と非接触状態で金属フィラーを攪拌させることができる。
【００６３】
具体的に、コイル６１の接続極性を変更して、コイル６１に流れる直流電流の方向を一定の時間間隔でかえることにより、金属フィラーが電磁力により受ける力が可変する。この場合、攪拌能力が向上し導電性接着剤３内において金属フィラーを様々な方向に移動させることが可能となり、シリンジ４に収納された導電性接着剤３全領域に対して攪拌させるのに好適である。また、導電性接着剤３の予め設定した領域のみに対しての攪拌にも好適であることはいうまでもない。その結果、磁場（電磁力）の方向や強さを可変させて導電性接着剤３の金属フィラーと他の材料（有機溶剤など）との分離や、金属フィラーと他の材料（有機溶剤など）とのいずれかの材料の沈降を抑えてリッチ現象を回避することができる。
【００６４】
また、本実施例１１では、導電性接着剤には、金属フィラーと有機溶剤とが含まれているが、これに限定されるものではなく、例えば、非磁性体の金属フィラー以外に更に磁性体の材料を含んでもよい。
【００６５】
また、本実施例１では、攪拌部材６にコイル６１を用いているが、これに限定されるものではなく、図４に示すような永久磁石６２であってもよい。図４に示す永久磁石６２では、複数の永久磁石が同極を対向させた構成からなり、この永久磁石６２により攪拌部材６とシリンジ４を相対的に移動させる。この場合、永久磁石６２はコイル６１と異なり発熱しないので、導電性接着剤３の温度上昇を抑えなくてもよい。すなわち、導電性接着剤３の温度上昇を考慮しなくてもよい。なお、永久磁石６２の場合、コイル６１と異なり、図５に示すような電磁力を発生する。そして、本実施例１１に示すように、シリンジ４を複数の永久磁石６２の対向領域に挿脱する際に電磁力を受けてシリンジ４内に収納された導電性接着剤３の金属フィラーが移動する。具体的に、図６（ａ）、（ｂ）に示すように、シリンジ４を挿入する際の金属フィラーが電磁力により受ける力の方向と、脱出する際の金属フィラーが電磁力により受ける力の方向とは全く異なる。そして、この異なる力の方向を用いて導電性接着剤３全体に均一に金属フィラーを移動させ、金属フィラーにより導電性接着剤３を攪拌することができる。
【００６６】
ところで、上記したように、攪拌部材６に永久磁石６２を用いた場合、永久磁石６２は発熱しないが、攪拌部材６にコイル６１を用いた場合、コイル６１に供給する電流量によってはコイル６１が発熱してこの熱により導電性接着剤３に不具合が生じることがある（例えば、有機溶剤が蒸発するなど）。
【００６７】
そこで、このコイル６１が発熱した場合にこの発熱が原因となる導電性接着剤３の発熱を抑える冷却部材を用いた液体吐出装置を以下の実施例２に示す。
【実施例２】
【００６８】
本実施例２にかかる液体吐出装置１を図面を用いて説明する。なお、本実施例２にかかる液体吐出装置１は、上記した実施例１に対して、コイル６１の発熱が原因となる導電性接着剤３の発熱を抑える構成を追加したものである。そこで、本実施例２では、上記した実施例１と異なる構成について説明し、同一の構成についての説明を省略する。そのため、同一構成による作用効果及び変形例は、上記した実施例１と同様の作用効果及び変形例を有する。
【００６９】
本実施例２にかかる液体吐出装置１では、図７に示すように、コイル６１の発熱が原因となる導電性接着剤３の発熱を抑える冷却部材８が設けられている。
【００７０】
冷却部材８には、図７に示すように、シリンジ４を冷却するために温度調整された冷却水８１を供給する冷却水供給部８２（本実施例２では冷却水供給タンク）と、シリンジ４の外側部４３（外周）に接して冷却水供給部８２に貯蔵した冷却水８１をシリンジ４に流す（導く）冷却水路８３（本実施例２では搬送チューブ）と、冷却水８１を冷却水供給部８２と冷却水路８３との間で循環させる循環部８４（本実施例２では循環ポンプ）と、冷却を行う冷却対象物の温度を測定する温度センサ部８５と、冷却水供給部８２を冷却する冷却部８６（本実施例２ではペルチェ素子）と、温度センサ部８５で測定した温度に基づいて冷却部８６の温度を制御するマイクロコントローラ８７と、から構成されている。なお、ここでいう冷却対象物の温度とは、シリンジ４の温度であり、温度センサ部８５は導電性接着剤３が収納されたシリンジ４内に配されている。
【００７１】
冷却部８６は冷却水供給部８２に設けられ、この冷却部８６により冷却水供給部８２に貯蔵された冷却水８１の冷却が行なわれる。
【００７２】
また、冷却水路８３は、シリンジ４とこのシリンジ４の外側部４３の外方に設けられたコイル６１との間に冷却水８１を流せるようにシリンジ４の外側部４３に巻回して配され、冷却水路８３の両端部が冷却水供給部８２に配される。なお、この冷却水路８３には、冷却水８１を冷却水供給部８２から冷却水路８３を通って循環させる循環部８４が設けられている。なお、図７に示す実施例においては冷却水路８３をシリンジ４の外側部４３に巻回した例を示しているが、この例に限らず冷却水路８３がシリンジ４に接触している構成であればよい。
【００７３】
上記した構成の冷却部材８では、冷却水供給部８２に貯蔵された冷却水８１が冷却部８６により温度調整され、この温度調整された冷却水８１は循環部８４により冷却水路８３を流れてシリンジ４の周囲に導かれ、冷却水供給部８２に循環する。この時、マイクロコントローラ８７では、温度センサ部８５で測定した温度に基づく温度データを受け、この温度データに基づいて冷却部８６の冷却温度を制御し、シリンジ４の温度を一定にする。つまり、冷却水供給部８２、およびシリンジ４（間接的に導電性接着剤３）の温度をフィードバックして温調制御される。また、このマイクロコントローラ８７では、冷却部８６による冷却水供給部８２の冷却の間欠／連続動作の選択や、冷却水８１の冷却水路８３への流量の調整の制御を行う。
【００７４】
上記した冷却部材８を液体吐出装置１に設けることで、シリンジ４に収納された導電性接着剤３の発熱を抑えることができ、導電性接着剤３の品質を一定に保って液体吐出を行うことができる。
【００７５】
なお、本実施例２では、冷却対象物を、シリンジ４としているが、これに限定されるものではなく、液体吐出装置１の他の部材であってもよい。
また、本実施例２では、温度センサ部８５がシリンジ４内に配されているが、これに限定されるものではなく、例えば、図８に示す構成であってもよい。図８に示す冷却部材８では、温度センサ部８５が、シリンジ４の外周を流れた冷却水８１が冷却水供給部８２に流れる間に、冷却水供給部８と比較して小さな容積からなり冷却水８１の温度を測定する槽に設けられ、冷却水路８３を循環して冷却水供給部８２に戻ってきた冷却水の温度が温度センサ部８５で測定される。また、図８に示すコイル６１と冷却水路８３との関係は、図７に示す関係と異なり、コイル６１はシリンジ４の液体吐出部位（他端部４２）の近傍に設けられ、搬路８３は、コイル６１に対してシリンジ４の一端部４１側に設けられている。
【００７６】
また、本実施例２では、冷却部８６を冷却水供給部８２に設けているが、これに限定されるものではなく、冷却対象物の冷却を行う構成であれば、例えば、図９に示すように、コイル６１を収納したコイル収納部材である冷却部８６が設けられてもよい。すなわち、冷却対象物を、コイル６１としてもよい。具体的に、図９に示す冷却部８６は、シリンジ４を挿脱可能な形態となっており、この冷却部８６では、その筐体が熱導電性が良好な樹脂や非磁性体金属からなり、冷却部８６の筐体内にコイル６１が設けられている。また、この冷却部８６は、八面体の筐体からなり、一対向面（図９で上下面）を貫通した筒状体の貫通部８６１が形成され、この貫通部８６１をシリンジ４が挿通する。また、この冷却部８６の貫通部８６１が形成されていない面にはペルチェ素子８６２が設けられ、ペルチェ素子８６２によりシリンジ４とコイル６１の温度制御を行う。
【００７７】
上記した図９に示す冷却部８６の場合、冷却対象物をコイル６１とするので、コイル６１の発熱を抑えてコイル６１の熱がシリンジ４に伝わるのを抑制することができる。その結果、シリンジ４に収納された導電性接着剤３の発熱を抑えることで導電性接着剤３の品質を一定に保って液体吐出を行うことができる。つまり、本実施例２では有機溶剤の蒸発を無くすことができる。また、ここでいう導電性接着剤３の発熱とは、導電性接着剤３中の金属フィラーの攪拌によって生じる内的な発熱と、コイル６１の発熱によって生じる外的な発熱とがあり、本構成によれば、これら内的な発熱と外的な発熱に対応することができる。また、図９に示す冷却部８６の場合、冷却部８６にペルチェ素子８６２を設けているが、これに限定されるものではなく、コイル６１自体に冷却素子を取り付けてもよい。
【００７８】
なお、本発明は、その精神や主旨または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００７９】
本発明は、導電性材料を含む液体の吐出に好適である。
【図面の簡単な説明】
【００８０】
【図１】図１は、本実施例１にかかる液体吐出装置の概略構成図である。
【図２】図２は、本実施例１にかかるコイルによる磁力線と金属フィラーの流れの方向を示した概略構成図である。
【図３】図３は、本実施例１にかかるコイルとシリンジの概略斜視図である。
【図４】図４は、本実施例１の他の例にかかる永久磁石とシリンジの概略斜視図である。
【図５】図５は、本実施例１の他の例にかかる永久磁石の電磁力線を示した図である。
【図６】図６（ａ）、（ｂ）は、本実施例１の他の例にかかる、シリンジを動かした時に金属フィラーが受ける力を示した図である。
【図７】図７は、本実施例２にかかる冷却部材とシリンジとコイルの関係を示した概略構成図である。
【図８】図８は、本実施例２の他の例にかかる冷却部材とシリンジとコイルの関係を示した概略構成図である。
【図９】図９は、本実施例２の他の例にかかる冷却部の概略斜視図である。
【符号の説明】
【００８１】
１  液体吐出装置
３  導電性接着剤
４  シリンジ
４３  外側部
６  攪拌部材
６１  コイル
６２  永久磁石
８  冷却部材
８２  冷却水供給部
８３  冷却水路
【図１】
2008161776.tif 000003
【図２】
2008161776.tif 000004
【図３】
2008161776.tif 000005
【図４】
2008161776.tif 000006
【図５】
2008161776.tif 000007
【図６】
2008161776.tif 000008
【図７】
2008161776.tif 000009
【図８】
2008161776.tif 000010
【図９】
2008161776.tif 000011